(57)【要約】    【課題】  情報媒体に記録された文字情報又は線画情報を少ない情報容量で適切に記憶することができるイメージスキャナを提供する。    【解決手段】  伝票Ｒ中に記録されたＱＲコードＱを読み取り、線画情報（領域（１））及び文字情報（領域（２）〜（５））の記録対象の位置と、指定された処理とを抽出する（Ｓ２２）。そして、伝票Ｒの画像中から線画情報及び文字情報の記録対象と成る位置を特定し、線画情報に対して切り出し処理、指定ファイルでの保存（Ｓ３０）、文字情報に対して光学式文字読取してテキストファイルでの保存する（Ｓ３２）。これにより、伝票Ｒの全体をイメージデータとして記憶するのと比較してデータ圧縮できる。【選択図】  図３
2007280285.tif 000002
【特許請求の範囲】
【請求項１】
文字情報又は線画情報と共に、該文字情報又は線画情報の記録対象と成る位置及び当該文字情報又は線画情報に対する処理を指定するための二次元情報コードが記録された情報媒体の画像を取り込むイメージスキャナであって：
前記情報媒体中に記録された前記二次元情報コードを読み取る情報コード読み取り手段と、
前記二次元情報コードから、情報媒体中の文字情報又は線画情報の前記記録対象の位置と、該文字情報又は線画情報に対する指定された処理とを抽出する抽出手段と、
前記二次元情報コードの基準位置と、抽出した前記記録対象の位置とから、前記情報媒体の画像中から前記文字情報又は線画情報の記録対象と成る位置を特定する記録位置特定手段と、
前記特定された記録対象と成る位置の画像に対して、前記指定された処理を施してから記憶する処理手段と、を備えることを特徴とするイメージスキャナ。
【請求項２】
前記二次元情報コードに記録された前記線画情報に対して指定した処理は、線画情報のデコード方法であることを特徴とする請求項１のイメージスキャナ。
【請求項３】
前記二次元情報コードに記録された前記文字情報に対して指定した処理は、光学文字の読み取り方法であることを特徴とする請求項１のイメージスキャナ。
【請求項４】
前記二次元情報コードに記録された前記文字情報に対して指定した処理は、文字種類、文字サイズ、フォントの種類、文字方向、行列数の少なくとも１つを含む表記方法であることを特徴とする請求項１のイメージスキャナ。
【請求項５】
前記二次元情報コードに記録された前記線画情報に対して指定した処理は、線画情報の切り出し方法であることを特徴とする請求項１のイメージスキャナ。
【請求項６】
前記線画情報の切り出し方法は、画像保存に必要なフォーマット情報であることを特徴とする請求項５のイメージスキャナ。
【請求項７】
前記二次元情報コードには、前記文字情報又は線画情報に対して指定した処理と共に、処理後のデータ分類のための情報が記録され、
前記処理手段は、前記データ分類のための情報に基づき、前記処理後の文字情報又は線画情報を分類することを特徴とする請求項１〜請求項６のいずれか１のイメージスキャナ。
【請求項８】
前記分類した処理後の文字情報又は線画情報に基づき、データベースを構築することを特徴とする請求項７のイメージスキャナ。
【請求項９】
前記二次元情報コードには、前記文字情報又は線画情報に対して指定した処理と共に、処理後に再配列するときの位置に関する再配列位置情報が記録され、
当該再配列位置情報に基づいて、処理後の文字情報又は線画情報を再配列した文書データを作成して、印刷装置を介して印刷することを特徴とする請求項１のイメージスキャナ。
【請求項１０】
１回の読み取り操作によりイメージスキャナで読み取られる情報媒体であって、
文字情報又は線画情報と共に、該文字情報又は線画情報の記録対象と成る位置及び当該文字情報又は線画情報に対する処理を指定するための二次元情報コードが記録されていることを特徴とする情報媒体。
【請求項１１】
前記二次元情報コードに記録された前記線画情報に対して指定した処理は、線画情報のデコード方法であることを特徴とする請求項１０の情報媒体。
【請求項１２】
前記二次元情報コードには、更に、処理後のデータ分類のための情報が記録されていることを特徴とする請求項１０の情報媒体。
【請求項１３】
前記二次元情報コードには、更に、処理後に再配列するときの位置に関する再配列位置情報が記録されていることを特徴とする請求項１０の情報媒体。
【請求項１４】
前記二次元情報コードは、コード情報内もしくは予め定義されたフォーマット情報から、当該二次元情報コード内の情報を復号して、前記文字情報又は線画情報の記録対象と成る位置及び当該文字情報又は線画情報に対して指定した処理を行えるように構成されていることを特徴とする請求項１０〜請求項１３のいずれか１の情報媒体。
【請求項１５】
文字情報又は線画情報と共に、該文字情報又は線画情報の記録対象と成る位置及び当該文字情報又は線画情報に対する処理を指定するための二次元情報コードが記録された情報媒体と：
前記情報媒体中に記録された前記二次元情報コードを読み取る情報コード読み取り手段と；前記二次元情報コードから、情報媒体中の文字情報又は線画情報の前記記録対象の位置と、該文字情報又は線画情報に対する処理とを抽出する抽出手段と；前記二次元情報コードの基準位置と、抽出した前記記録対象の位置とから、前記情報媒体の画像中から前記文字情報又は線画情報の記録対象と成る位置を特定する記録位置特定手段と；前記特定された記録対象と成る位置の画像に対して、抽出された前記処理を施してから出力する処理手段と；を備えるイメージスキャナと：
前記イメージスキャナからの出力された情報を保持するコンピュータと：
前記イメージスキャナ又はコンピュータから出力された情報を印刷する印刷装置と、を備えることを特徴とする画像情報処理システム。
【発明の詳細な説明】
【技術分野】
【０００１】
本発明は、文書等の情報媒体に記録された文字情報又は線画情報を読み取るイメージスキャナ、該イメージスキャナ用の情報媒体、当該イメージスキャナ及び情報媒体を用いる画像情報処理システムに関するものである。
【背景技術】
【０００２】
伝票、帳票等を整理する際に、伝票、帳票をイメージスキャナで読み取って、イメージデータとして記憶することが行われている。特許文献１には、機械用記号によって記録されている情報を当該機械用記号に基づいて再生することで、ほぼ原稿のレイアウトどおりの再生像を得るディジタル複写機からなる情報再生装置が開示されている。特許文献２には、伝票のコードデータと共に印影を読み取れるように、二次元情報コードを用いて印影を含むイメージとして取り込む領域を指定できるようした光学情報読取装置が開示されている。
【特許文献１】特開平９−１５０５６３号公報
【特許文献２】特開平１０−３０７８８６号公報
【発明の開示】
【発明が解決しようとする課題】
【０００３】
しかしながら、伝票、帳票等を整理する際に、帳票をイメージスキャナで読み取ってイメージデータとして記憶すると、大量の記憶容量が必要となる。さらに、イメージデータでは、伝票、帳票を再生することはできても、データ化された伝票、帳票の内容を検索することができなかった。
【０００４】
ここで、特許文献１の技術では、従来の二次元情報コードのデコードアルゴリズムを変更して基準位置を検出する必要があり、既存の二次元情報コード用のアルゴリズムをそのまま用いることができなかった。また、基準位置から画像処理対象領域を検出する際に、一つの基準位置から一つの画像対象領域を検出しているため、検出時間が画像対象領域の数に比例して増加する。このため、各印影をそれぞれ読み取って行く必要があり、印影が沢山になると、手間が掛かると共に読み取り時間が長くなった。
【０００５】
本発明は、上述した課題を解決するためになされたものであり、その目的とするところは、情報媒体に記録された文字情報又は線画情報を少ない情報容量で適切に記憶することができるイメージスキャナ、情報媒体及び画像情報処理システムを提供することにある。
【課題を解決するための手段】
【０００６】
上記目的を達成するため、請求項１の発明は、文字情報又は線画情報と共に、該文字情報又は線画情報の記録対象と成る位置及び当該文字情報又は線画情報に対する処理を指定するための二次元情報コードＱが記録された情報媒体Ｒの画像を取り込むイメージスキャナ１０であって：
前記情報媒体Ｒ中に記録された前記二次元情報コードＱを読み取る情報コード読み取り手段（Ｓ１２）と、
前記二次元情報コードＱから、情報媒体Ｒ中の文字情報又は線画情報の前記記録対象の位置と、該文字情報又は線画情報に対する指定された処理とを抽出する抽出手段（Ｓ１６）と、
前記二次元情報コードＱの基準位置Ｐと、抽出した前記記録対象の位置とから、前記情報媒体Ｒの画像中から前記文字情報又は線画情報の記録対象と成る位置を特定する記録位置特定手段（Ｓ２２）と、
前記特定された記録対象と成る位置の画像に対して、前記指定された処理を施してから記憶する処理手段（Ｓ３０、Ｓ３２、Ｓ３８）と、を備えることを技術的特徴とする。
【０００７】
また、請求項１０の発明は、１回の読み取り操作によりイメージスキャナ１０で読み取られる情報媒体Ｒであって、
文字情報又は線画情報と共に、該文字情報又は線画情報の記録対象と成る位置及び当該文字情報又は線画情報に対する処理を指定するための二次元情報コードＱが記録されていることを技術的特徴とする。
【０００８】
請求項１５の画像情報処理システムは、文字情報又は線画情報と共に、該文字情報又は線画情報の記録対象と成る位置及び当該文字情報又は線画情報に対する処理を指定するための二次元情報コードＱが記録された情報媒体Ｒと：
前記情報媒体Ｒ中に記録された前記二次元情報コードＱを読み取る情報コード読み取り手段（Ｓ１２）と；前記二次元情報コードＱから、情報媒体Ｒ中の文字情報又は線画情報の前記記録対象の位置と、該文字情報又は線画情報に対する処理とを抽出する抽出手段（Ｓ１６）と；前記二次元情報コードＱの基準位置Ｐと、抽出した前記記録対象の位置とから、前記情報媒体Ｒの画像中から前記文字情報又は線画情報の記録対象と成る位置を特定する記録位置特定手段（Ｓ２２）と；前記特定された記録対象と成る位置の画像に対して、抽出された前記処理を施してから出力する処理手段（Ｓ３０、Ｓ３２、Ｓ３８）と；を備えるイメージスキャナ１０と：
前記イメージスキャナ１０からの出力された情報を保持するコンピュータ５０と：
前記イメージスキャナ１０又はコンピュータ５０から出力された情報を印刷する印刷装置６０と、を備えることを技術的特徴とする。
【発明の効果】
【０００９】
請求項１のイメージスキャナ１０では、情報媒体Ｒ中に記録された二次元情報コードＱを読み取り（Ｓ１２）、二次元情報コードＱから、情報媒体Ｒ中の文字情報又は線画情報の記録対象の位置と、該文字情報又は線画情報に対する指定された処理とを抽出する（Ｓ１６）。そして、二次元情報コードＱの基準位置Ｐと、抽出した記録対象の位置とから、情報媒体Ｒの画像中から文字情報又は線画情報の記録対象と成る位置を特定し、特定された記録対象と成る位置の画像に対して、指定された処理を施してから記憶する（Ｓ３０、Ｓ３２、Ｓ３８）。これにより、情報媒体Ｒの全体をイメージデータとして記憶するのと比較して、記録対象位置の画像データのみを記憶し、且つ、当該記録対象位置の画像データに指定された処理を施すことでデータ圧縮できる。このため、情報媒体Ｒに記録された文字情報又は線画情報を少ない情報容量で適切に記憶することが可能となる。
【００１０】
請求項２のイメージスキャナ１０では、線が情報に対する処理のために、デコード方法が指定されているため、線画情報を適切にデコードでき、データを圧縮することが可能である。このため、情報媒体Ｒに記録された線画情報を適切に記憶することができる。
【００１１】
請求項３のイメージスキャナ１０では、文字情報に対する処理のために、光学文字の読み取り方法が指定されているため、イメージの文字情報を最小の誤りでテキストデータとして読み取ることができ、データを小さくすることが可能である。このため、情報媒体Ｒに記録された文字情報を少ない情報容量で適切に記憶することができる。
【００１２】
請求項４のイメージスキャナ１０では、文字情報に対する処理のために、文字種類、文字サイズ、フォントの種類、文字方向、行列数の表記方法であるので記録されているので、イメージの文字情報を最小の誤りでテキストデータとして読み取ることができ、データを小さくすることが可能である。このため、情報媒体Ｒに記録された文字情報を少ない情報容量で適切に記憶することができる。
【００１３】
請求項５のイメージスキャナ１０では、線画情報に対する処理のために、切り出し方法が指定されているので、線画情報を適切に切り出すことが可能である。このため、情報媒体Ｒに記録された線画情報を適切に記憶することができる。
【００１４】
請求項６のイメージスキャナ１０では、線画情報に対する処理のために、画像保存に必要なフォーマット情報が指定されているので、線画情報を少ない誤差量でイメージデータとして読み取ることができる。このため、情報媒体Ｒに記録された線画情報を適切に記憶することができる。
【００１５】
請求項７のイメージスキャナ１０では、二次元情報コードＱのデータ分類のための情報に基づき、処理後の文字情報又は線画情報を分類するため、大量の情報媒体Ｒに記録された文字情報又は線画情報の内の必要とされる情報のみを検索、精製、解析することが可能となる。
【００１６】
請求項８のイメージスキャナ１０では、分類した処理後の文字情報又は線画情報に基づき、データベースを構築するため、大量の情報媒体Ｒに記録された文字情報又は線画情報の内の必要とされる情報のみの検索、精製、解析を容易に行える。
【００１７】
請求項９のイメージスキャナ１０では、二次元情報コードＱに記録された再配列位置情報に基づいて、処理後の文字情報又は線画情報を再配列した文書データを作成して、印刷装置６０を介して印刷する。このため、必要とされるデータを所望の位置に配置した文書を印刷することが可能となる。
【００１８】
請求項１０の情報媒体Ｒは、文字情報又は線画情報と共に、該文字情報又は線画情報の記録対象と成る位置及び当該文字情報又は線画情報に対する処理を指定するための二次元情報コードＱが記録されている。このため、イメージスキャナ１０で、情報媒体Ｒ中に記録された二次元情報コードＱを読み取り、二次元情報コードＱから、情報媒体Ｒ中の文字情報又は線画情報の記録対象の位置と、該文字情報又は線画情報に対する指定された処理とを抽出する。そして、二次元情報コードＱの基準位置Ｐと、抽出した記録対象の位置とから、情報媒体Ｒの画像中から文字情報又は線画情報の記録対象と成る位置を特定し、特定された記録対象と成る位置の画像に対して、指定された処理を施してから記憶する。これにより、情報媒体Ｒの全体をイメージデータとして記憶するのと比較して、記録対象位置の画像データのみを記憶し、且つ、当該記録対象位置の画像データに指定された処理を施すことでデータ圧縮できる。このため、情報媒体Ｒに記録された文字情報又は線画情報を少ない情報容量で適切に記憶することが可能となる。
【００１９】
請求項１１の情報媒体Ｒでは、二次元情報コードＱに記録された線が情報に対する処理が、線画情報のデコード方法である。線画情報に対する処理のために、デコード方法が指定されているので、線画情報を適切にデコードでき、データを圧縮することが可能である。
【００２０】
請求項１２の情報媒体Ｒでは、二次元情報コードＱに、更に、処理後のデータ分類のための情報が記録されている。二次元情報コードＱのデータ分類のための情報に基づき、処理後の文字情報又は線画情報を分類することができるため、大量の情報媒体Ｒに記録された文字情報又は線画情報の内の必要とされる情報のみを検索、精製、解析することが可能となる。
【００２１】
請求項１３の情報媒体Ｒでは、二次元情報コードＱに、更に、処理後に再配列するときの位置に関する再配列位置情報が記録されている。二次元情報コードＱに記録された再配列位置情報に基づいて、処理後の文字情報又は線画情報を再配列した文書データを作成して、印刷装置６０を介して印刷できるため、必要とされるデータを所望の位置に配置した文書を印刷することが可能となる。
【００２２】
請求項１４の情報媒体Ｒでは、二次元情報コードＱが、コード情報内もしくは予め定義されたフォーマット情報から、当該二次元情報コードＱ内の情報を復号して、文字情報又は線画情報の記録対象と成る位置及び当該文字情報又は線画情報に対する処理を行えるように構成されている。このため、当該二次元情報コードＱに記録した文字情報又は線画情報の記録対象と成る位置及び当該文字情報又は線画情報に対する処理の指定とにより、イメージスキャナ１０側で処理を進めることができる。
【００２３】
請求項１５の画像情報処理システムでは、情報媒体Ｒに、文字情報又は線画情報と共に、該文字情報又は線画情報の記録対象と成る位置及び当該文字情報又は線画情報に対する処理を指定するための二次元情報コードＱが記録されている。このため、イメージスキャナ１０が、情報媒体Ｒ中に記録された二次元情報コードＱを読み取り（Ｓ１２）、二次元情報コードＱから、情報媒体Ｒ中の文字情報又は線画情報の記録対象の位置と、該文字情報又は線画情報に対する指定された処理とを抽出する（Ｓ１６）。そして、二次元情報コードＱの基準位置Ｐと、抽出した記録対象の位置とから、情報媒体Ｒの画像中から文字情報又は線画情報の記録対象と成る位置を特定し、特定された記録対象と成る位置の画像に対して、指定された処理を施してから記憶する（Ｓ３０、Ｓ３２、Ｓ３８）。これにより、情報媒体Ｒの全体をイメージデータとして記憶するのと比較して、記録対象位置の画像データのみを記憶し、且つ、当該記録対象位置の画像データに指定された処理を施すことでデータ圧縮できる。このため、情報媒体Ｒに記録された文字情報又は線画情報を少ない情報容量で適切に記憶することが可能となる。更に、コンピュータ５０でイメージスキャナ１０からの出力された情報を保持することでデータベースの構築が可能となる。また、印刷装置６０で、イメージスキャナ１０又はコンピュータ５０から出力された情報を印刷することで、データに取り込んだ情報媒体Ｒを再生して印刷することができ、元の情報媒体Ｒをイメージスキャナ１０へでの読み取り後、廃棄することができる。更に、情報媒体Ｒに含まれる情報中の所望のデータのみを印刷することもできる。
【発明を実施するための最良の形態】
【００２４】
[第１実施形態]
以下、本発明のイメージスキャナの実施形態について図を参照して説明する。まず、第１実施形態に係るイメージスキャナの構成概要を図１のブロック図を参照して説明する。
文書（伝票）Ｒを読み取るイメージスキャナ１０には、回路部２０が設けられている。回路部２０は、主に、発光ダイオード２１、集光レンズ２４、受光センサ２３、結像レンズ２７等の光学系と、メモリ３５、制御回路４０、操作スイッチ２２、液晶表示器４６等のマイクロコンピュータ（以下「マイコン」という）系と、電源スイッチ４１、電源回路４９等の電源系と、文書Ｒを送るローラ３０等の紙送り系と、から構成されている。
【００２５】
まず、光学系から説明する。発光ダイオード２１は、帯状の照明光Ｌｆを照射可能な光照射器として機能するもので、拡散レンズと凸レンズとを組み合わせた集光レンズ２４により集光させる。受光センサ２３は、文書Ｒに照射されて反射した反射光Ｌｒ、更に、写真画像を結像レンズ２７を介して受光可能に構成されるもので、例えば、Ｃ−ＭＯＳやＣＣＤ等の固体撮像素子から成る二次元イメージセンサにより構成されている。結像レンズ２７は、外部から入射する入射光を集光して受光センサ２３の受光面２３ａに像を結像可能な結像光学系として機能するもので、例えば、鏡筒とこの鏡筒内に収容される複数の集光レンズとにより構成されている。イメージスキャナ１０は、文書Ｒをローラ３０で送りながら、光学系により送り速度に同期させて画像を取り込んでいく。
【００２６】
次に、マイコン系の構成概要を説明する。マイコン系は、増幅回路３１、Ａ／Ｄ変換回路３３、メモリ３５、アドレス発生回路３６、同期信号発生回路３８、制御回路４０、操作スイッチ２２、ＬＥＤ４３、ブザー４４、液晶表示器４６、通信インタフェース４８等から構成されている。このマイコン系は、その名の通り、マイコン（情報処理装置）として機能し得る制御回路４０およびメモリ３５と中心に構成されるもので、前述した光学系によって撮像された画像信号をハードウェア的およびソフトウェア的に信号処理し得るものである。また制御回路４０は、当該イメージスキャナ１０の全体システムに関する制御も行っている。
【００２７】
光学系の受光センサ２３から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されて蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２８】
制御回路４０は、イメージスキャナ１０全体を制御可能なマイコンで、ＣＰＵ、システムバス、入出力インタフェース等からなるもので、メモリ３５とともに情報処理装置を構成し得るもので情報処理機能を有する。この制御回路４０には、内蔵された入出力インタフェースを介して種々の入出力装置（周辺装置）と接続可能に構成されており、本実施形態の場合、電源スイッチ４１、操作スイッチ２２、ＬＥＤ４３、ブザー４４、液晶表示器４６、通信インタフェース４８等が接続されている。更に、イメージスキャナ１０には、通信インタフェース４８を介して、コンピュータ５０及び印刷装置６０が接続されている。
【００２９】
引き続き、図２（Ａ）を参照してイメージスキャナ１０により読み取る文書（伝票）について説明する。伝票Ｒには、右上隅にＱＲコードＱが印刷され、領域（１）にグラフが記載され、領域（２）に作成年月日が、領域（３）、領域（４）、領域（５）には文字が記載されている。ＱＲコードＱは、各領域（１）〜（５）の位置と、各領域のデータの処理方法等が記録されている。図２（Ｂ）は、イメージスキャナ１０により読み取った伝票を再度印刷した伝票Ｌを示している。
【００３０】
図４は、図２（Ａ）中の伝票Ｒ中のＱＲコードＱに記録された情報の内容を示している。各領域（１）〜（５）の情報として、領域位置、処理方法、分類、再配置位置がそれぞれ記録されている。具体的に、領域（１）の情報として、領域情報には、図３中に示すＱＲコードＱの左上側の位置検出パターンＩの左上端Ｐを基準として、Ｘ方向へのズレ量Ｘと、Ｙ方向へのズレ量Ｙと、領域（１）のＸ方向への長さＸ＿lengthと、領域（１）のＹ方向への長さＹ＿lengthとが記録され、領域（１）の領域位置を規定している。処理方法として、前述した領域情報により規定された領域位置の画像の切り出し方法（具体的には、画像読み取りを行い、フルカラーＢＭＰファイルに変換するように指定）が記録されている。分類としてグラフであることが指定されている。更に、図２（Ｂ）に示す様にイメージスキャナ１０により読み取られた伝票を再度印刷するときの当該領域（１）の処理済み（フルカラーＢＭＰファイル）の印刷位置を指定する再配置位置が指定されている。
【００３１】
また、領域（２）の情報としては、領域位置に続いて、処理方法としてデコードが指定され、コード種別としてＯＣＲ（光学式文字読取）が指定され、文字のフォントがＭＳ明朝であり、文字方向が左から右であることが指定されている。そして情報の分類（情報の内容）として作成月日が指定されている。同様にして領域（３）〜（５）に対して、それぞれ領域位置、処理方法等が指定されている。
【００３２】
引き続き、図２（Ａ）に示す伝票Ｒを読み取る際のイメージスキャナ１０による処理について図５〜図７を参照して説明する。
図５は、イメージスキャナによる読み取り処理のフローチャートである。
図２（Ａ）に示す伝票Ｒを読み取る（Ｓ１２）。そして、画像処理を実施する場合には（Ｓ１４：Ｙｅｓ）、二次元コード（ＱＲコード）を先ずデコードする（Ｓ１６）。ＱＲコードのデコードが成功すると（Ｓ１８：Ｙｅｓ）、図６を参照して後述する当該伝票Ｒの画像を処理するための二次元画像処理を行い（Ｓ２０）、図７を参照して後述する当該伝票Ｒの画像を変換処理したデータを出力する変換データ出力処理を実行する（Ｓ４０）。
【００３３】
図６は、上述した当該伝票Ｒの画像を処理するための二次元画像処理のサブルーチンを示すフローチャートである。
先ず、ＱＲコードをデコードしたデータを解析し、図４を参照して上述したような各領域の変換情報を取得する（Ｓ２２）。第１実施形態のＱＲコードは、コード情報内もしくは予め定義されたフォーマット情報から、当該ＱＲコード内の情報を復号して、文字情報又は線画情報の記録対象と成る位置及び当該文字情報又は線画情報に対する処理を行えるように構成されている。
【００３４】
領域が指定されているかを判断し（Ｓ２４）、領域が指定されている際には（Ｓ２４：Ｙｅｓ）、処理対象としている領域（ここでは、先ず、領域（１）が処理対象とされているものとする）が画像切り出し処理かを判断する（Ｓ２６）。領域（１）のように画像切り出し処理が指定されているときには（Ｓ２６：Ｙｅｓ）、指定されたフルカラーＢＭＰファイルに変換する画像切り出し処理を行う（Ｓ３０）。他方、画像切り出し処理が指定されていないときには（Ｓ２６：Ｎｏ）、画像デコード処理かを判断する（Ｓ２８）。ここで、領域（２）のように画像デコード処理が指定されているときには（Ｓ２８：Ｙｅｓ）、指定された画像デコード処理を行う（Ｓ３２）。この際に、上述したようにデコード処理用に文字のフォントがＭＳ明朝であり、文字方向が左から右であることが指定されているため、光学式文字読取において高い識字率を達成することができる。
【００３５】
引き続き、データエンコード処理の実行が指定されているかを判断する（Ｓ３４）。例えば、読み取ったＱＲコードのモデルを異なるＱＲコードにエンコードするように指定があれば（Ｓ３４：Ｙｅｓ）、指定されたデータのエンコードを実行する（Ｓ３６）。そして、全ての領域の処理を完了したかを判断し（Ｓ３７）、処理を完了するまでは（Ｓ３７：Ｎｏ）、Ｓ２６の処理に戻り、処理を続ける。他方、処理を完了すると（Ｓ３７：Ｙｅｓ）、処理済みのデータを記憶し（Ｓ３８）、更に、データを情報の分類（情報の内容）に応じてデータベースへ登録する（Ｓ３９）。例えば、上述した領域（１）のデータは、グラフとして登録され、領域（２）のデータは、作成年月日として登録する。これにより、図２（Ａ）を参照して上述した伝票を作成年月日から検索できるようにする。
【００３６】
図７は、上述した伝票Ｒの画像を変換処理したデータを出力する変換データ出力処理のサブルーチンを示すフローチャートである。
先ず、再配置データの作成が指示されているかを判断し（Ｓ４２）、作成が指示されているときには（Ｓ４２：Ｙｅｓ）、指定領域が存在しているかを判断し（Ｓ４４）、指定領域が存在している場合には（Ｓ４４：Ｙｅｓ）、再配置文書データを作成する（Ｓ４６）。即ち、図２（Ｂ）に示すイメージスキャナ１０により読み取られせた伝票のデータに基づく再印刷用の伝票Ｌを作成するために、処理対象の指定領域のデータの再配置を行う。例えば、図２（Ａ）中に示す領域（１）のグラフを、図２（Ｂ）中に示す位置、大きさに再配置する。そして、全ての領域に対して処理を完了したかを判断し（Ｓ４８）、処理の完了前は（Ｓ４８：Ｎｏ）、Ｓ４６の処理へ戻り処理を続ける。他方、全ての領域に対して処理を完了すると（Ｓ４８：Ｙｅｓ）、出力先を判断し、ホストコンピュータ側への出力が指示されている場合には、図１中に示すコンピュータ５０側へ出力し、コンピュータのデータベースとして保持させる。他方、印刷装置への出力が指示されている場合には、印刷装置６０へ出力し、図２（Ｂ）に示すようにデータを再配置した伝票を印刷させる。
【００３７】
第１実施形態のイメージスキャナ１０では、伝票Ｒ中に記録されたＱＲコードＱを読み取り、伝票Ｒ中の線画情報（領域（１））及び文字情報（領域（２）〜（５））の記録対象の位置と、該線画情報及び線画情報に対する指定された処理とを抽出する（Ｓ２２）。そして、ＱＲコードＱの基準位置Ｐと、抽出した記録対象の位置とから、伝票Ｒの画像中から線画情報及び文字情報の記録対象と成る位置を特定し、特定された記録対象と成る位置の画像に対して、指定された処理（線画情報に対して切り出し処理、指定ファイルでの保存、文字情報に対して光学式文字読取してテキストファイルでの保存）を施してから記憶する。これにより、伝票Ｒの全体をイメージデータとして記憶するのと比較して、記録対象位置の画像データのみを記憶し、且つ、当該記録対象位置の画像データに指定された処理を施すことでデータ圧縮できる。このため、伝票Ｒに記録された線画情報及び文字情報を少ない情報容量で適切に記憶することが可能となる。
【００３８】
第１実施形態のイメージスキャナ１０及び伝票Ｒでは、文字情報に対する処理のために、デコード方法が指定されているため、文字情報を適切にデコードでき、データを圧縮することが可能である。このため、伝票Ｒに記録された文字情報を少ない情報容量で適切に記憶することができる。
【００３９】
第１実施形態のイメージスキャナ１０及び伝票Ｒでは、文字情報に対する処理のために、光学式文字読取の情報が指定されているため、イメージの文字情報を最小の誤りでテキストデータとして読み取ることができ、データを小さくすることが可能である。このため、伝票Ｒに記録された文字情報を少ない情報容量で適切に記憶することができる。
【００４０】
第１実施形態のイメージスキャナ１０及び伝票Ｒでは、光学式文字読取の情報は、文字種類、文字サイズ、フォントの種類、文字方向、行列数であるため、イメージの文字情報を最小の誤りでテキストデータとして読み取ることができ、データを小さくすることが可能である。このため、伝票Ｒに記録された文字情報を少ない情報容量で適切に記憶することができる。
【００４１】
第１実施形態のイメージスキャナ１０及び伝票Ｒでは、グラフ等の線画情報に対する処理のために、切り出し方法が指定されているため、線画情報を適切に切り出すことが可能である。このため、伝票Ｒに記録された線画情報を適切に記憶することができる。
【００４２】
第１実施形態のイメージスキャナ１０及び伝票Ｒでは、グラフ等の線画情報に対する処理のために、画像保存に必要なフォーマット情報が指定されているため、線画情報を少ない誤差量でイメージデータとして読み取ることができる。このため、伝票Ｒに記録された線画情報を適切に記憶することができる。
【００４３】
第１実施形態のイメージスキャナ１０では、ＱＲコードＱのデータ分類のための情報に基づき、処理後の線画情報及び文字情報を分類するため、大量の伝票Ｒに記録された線画情報及び文字情報の内の必要とされる情報のみを検索、精製、解析することが可能となる。
【００４４】
第１実施形態のイメージスキャナ１０では、分類した処理後の線画情報及び文字情報に基づき、データベースを構築するため、大量の伝票Ｒに記録された線画情報及び文字情報の内の必要とされる情報のみの検索、精製、解析を容易に行える。
【００４５】
第１実施形態のイメージスキャナ１０では、ＱＲコードＱに記録された再配列位置情報に基づいて、処理後の線画情報及び文字情報を再配列した文書データを作成して、印刷装置６０を介して印刷する。このため、必要とされるデータを所望の位置に配置した文書を印刷することが可能となる。
【００４６】
第１実施形態の伝票Ｒでは、ＱＲコードＱが、コード情報内もしくは予め定義されたフォーマット情報から、当該ＱＲコードＱ内の情報を復号して、線画情報及び文字情報の記録対象と成る位置及び当該線画情報及び文字情報に対する処理を行えるように構成されている。このため、当該ＱＲコードＱに記録した線画情報及び文字情報の記録対象と成る位置及び当該線画情報及び文字情報に対する処理の指定とにより、イメージスキャナ１０側で処理を進めることができる。
【００４７】
第１実施形態の画像情報処理システムでは、伝票Ｒに、線画情報及び文字情報と共に、該線画情報及び文字情報の記録対象と成る位置及び当該線画情報及び文字情報に対する処理を指定するためのＱＲコードＱが記録されている。このため、イメージスキャナ１０が、伝票Ｒ中に記録されたＱＲコードＱを読み取り、ＱＲコードＱから、伝票Ｒ中の線画情報及び文字情報の記録対象の位置と、該線画情報及び文字情報に対する指定された処理とを抽出する。そして、ＱＲコードＱの基準位置と、抽出した記録対象の位置とから、伝票Ｒの画像中から線画情報及び文字情報の記録対象と成る位置を特定し、特定された記録対象と成る位置の画像に対して、指定された処理を施してから記憶する。これにより、伝票Ｒの全体をイメージデータとして記憶するのと比較して、記録対象位置の画像データのみを記憶し、且つ、当該記録対象位置の画像データに指定された処理を施すことでデータ圧縮できる。このため、伝票Ｒに記録された線画情報及び文字情報を少ない情報容量で適切に記憶することが可能となる。更に、コンピュータ５０でイメージスキャナ１０からの出力された情報を保持することでデータベースの構築が可能となる。また、印刷装置６０で、イメージスキャナ１０又はコンピュータ５０から出力された情報を印刷することで、データに取り込んだ伝票Ｒを再生して印刷することができ、元の伝票Ｒをイメージスキャナ１０へでの読み取り後、廃棄することができる。更に、伝票Ｒに含まれる情報中の所望のデータのみを印刷することもできる。
【００４８】
[第２実施形態]
図８及び図９を参照して本発明の第２実施形態に係る履歴書について説明する。
図８（Ａ）は、第１の配列の履歴書Ｆ１を示し、図８（Ｂ）は、第２の配列の履歴書Ｆ２を示している。
図９は、図８（Ａ）中の履歴書Ｆ１中のＱＲコードＱに記録された情報の内容を示している。各領域（１）〜（６）の情報として、領域位置、処理方法、分類がそれぞれ記録されている。具体的に、領域（１）の情報として、領域情報には、図３を参照して上述した第１実施形態中に示すと同様にＱＲコードＱの左上側の位置検出パターンＩの左上端Ｐを基準としＸ方向へのズレ量Ｘと、Ｙ方向へのズレ量Ｙと、領域（１）のＸ方向への長さＸ＿lengthと、領域（１）のＹ方向への長さＹ＿lengthとが記録され、領域（１）の領域位置を規定している。処理方法として、前述した領域情報により規定された領域位置の画像の切り出し方法（具体的には、画像読み取りを行い、フルカラーＢＭＰファイルに変換するように指定）が記録されている。分類として顔写真であることが指定されている。
【００４９】
また、領域（２）の情報としては、領域位置に続いて、処理方法としてデコードが指定され、コード種別としてＯＣＲ（光学式文字読取）が指定され、文字方向が左から右であることが指定されている。そして情報の分類（情報の内容）として氏名が指定されている。同様にして領域（３）の情報の分類として生年月日が、領域（４）の情報の分類として男女種別が、領域（５）の情報の分類として現住所が、領域（６）の情報の分類として学歴・職歴が指定されている。
【００５０】
この第２実施形態の履歴書では、任意の配列で作られた履歴書中に情報を特定するためのＱＲコードを加えることで、第１実施形態で説明したイメージスキャナにより、内容を読み取ることができるようになり、任意の配列の履歴書を使ってデータベースを自動構築することが可能である。
【００５１】
図１０は、ＱＲコード等の二次元情報コードに記録する位置情報、データ分類、処理方法、再変換処理の内容を示す図表である。
グラフ、写真等の線画情報に対する処理方法としては、上述した保存ファイル形式の他、保存ファイル名、画質、解像度、増減色（例えば２５６色を１２８色への変換等）、倍率等を指定できる。デコード方法として、ＱＲコード等をデコードする際にコードデコード情報としてコード種別を指定できる。更に、文字情報をデコードする際のＯＣＲデコード補助情報として、上述してフォント種類、文字方向に加えて、行数、列数、フォントサイズ、英数、日本語の種別等を指定できる。再変換処理として、上述した再配置時の位置情報に加えて、エンコード情報を付加することができる。ここで、データの種別として、ＱＲコードをバーコードへ変換することを指定することもできる。また、文字情報（フォント種別、フォントサイズ、文字方向）を指定することで、フォント種別、フォントサイズ、文字方向を変えて印刷することができる。
【産業上の利用可能性】
【００５２】
上述した実施形態では、二次元情報コードとしてＱＲコードを用いる例を挙げたが、データマトリッスク、マキシコード等の他の二次元情報コードを用いることも可能である。
【図面の簡単な説明】
【００５３】
【図１】本発明の第１実施形態に係るイメージスキャナの回路構成を示すブロック図である。
【図２】図２（Ａ）は伝票の説明図であり、図２（Ｂ）は図２（Ａ）に示す伝票をイメージスキャナにより読み取り再度印刷した伝票を示している。
【図３】図２（Ａ）中の伝票での領域位置の説明図である。
【図４】ＱＲコードに記録された内容を示す説明図である。
【図５】イメージスキャナによる読み取り処理のフローチャートである。
【図６】イメージスキャナによる二次元画像処理のサブルーチンを示すフローチャートである。
【図７】イメージスキャナによる変換データ出力処理のサブルーチンを示すフローチャートである。
【図８】第２実施形態に係る履歴書の説明図である。
【図９】第２実施形態の履歴書中のＱＲコードに記録された内容を示す説明図である。
【図１０】位置情報、データ分類、処理方法、再変換処理の内容を示す図表である。
【符号の説明】
【００５４】
１０  イメージスキャナ
２１  発光ダイオード
２３  受光センサ
４０  制御回路
５０  コンピュータ
６０  印刷装置
Ｒ  伝票（情報媒体）
Ｌ  伝票（情報媒体）
Ｆ１  履歴書（情報媒体）
Ｆ２  履歴書（情報媒体）
Ｑ  ＱＲコード（二次元情報コード）
【図１】
2007280285.tif 000003
【図２】
2007280285.tif 000004
【図３】
2007280285.tif 000005
【図４】
2007280285.tif 000006
【図５】
2007280285.tif 000007
【図６】
2007280285.tif 000008
【図７】
2007280285.tif 000009
【図８】
2007280285.tif 000010
【図９】
2007280285.tif 000011
【図１０】
2007280285.tif 000012